(57)【要約】【課題】  従来のレインコ−ト収納袋は、レインコ−トの袋の開口部を下向きに面テ−プでレインコ−ト本体に設けられていたため、面テ−プが外れると、レインコ−ト本体から外れ、レインコ−ト収納袋に蓋が設けられていないため、レインコ−トと、レインコ−ト収納袋が紛失するおそれがあった。【解決手段】  レインコ−ト本体に収納携帯外袋が接着固定された収納携帯外袋内部に、レインコ−トが収納されるレインコ−ト収納携帯中袋が収納されていることで、レインコ−ト収納携帯中袋の紛失と、収納携帯外袋の紛失を防止することができ、レインコ−ト収納携帯中袋の内部に水切り網が設けられた水切り網の上部にレインコ−トが留まることで、水で濡れたレインコ−トの水で人込みの中や屋内車中の中を汚すことを防止することができる。【選択図】図１
2016148131.tif 000002
【特許請求の範囲】
【請求項１】
レインコ−ト本体に収納携帯外袋が接着固定された収納携帯外袋内部に、レインコ−トを収納するレインコ−ト収納携帯中袋が収納され、レインコ−ト収納携帯中袋が収納された収納携帯外袋が、レインコ−ト本体に両面テ−プや接着剤で設けられた、収納携帯外袋とレインコ−ト収納携帯中袋。
【請求項２】
レインコ−ト収納携帯中袋内部に水切り網が設けられたレインコ−ト収納携帯中袋に吊り下げ紐と、開口部にファスナ−が設けられたたレインコ−ト収納携帯中袋。
【発明の詳細な説明】
【技術分野】
【０００１】  本発明は、レインコ−ト収納携帯中袋を収納する目的で、レインコ−ト本体に接着固定されている、収納携帯外袋の内部に、レインコ−ト収納携帯中袋が収納されている、レインコ−ト収納携帯袋に関するものである。
【背景技術】
【０００２】  従来のレインコ−ト収納袋には、レインコ−ト収納袋外面に、面テ−プが設けられ、レインコ−ト本体と、レインコ−ト収納袋が脱着可能に施したものがある。（例えば、特許文献１参照。）【０００３】  以下、図１、により従来のレインコ−ト収納袋について説明する。図において、２はレインコ−ト収納袋で、３の面テ−プが、１のレインコ−トの背面外部に設けられた面テ−プで、２の収納袋の外面に設けられた面テ−プで、レインコ−トの外部背面に、収納袋の開口部が下向きに、レインコ−トの外部背面に装着されている。
【先行技術文献】
【特許文献】
【０００４】
【特許文献１】  特開平２０１３−７１４７（Ｐ２０１３−７１４７Ａ）
【発明の概要】
【発明が解決しようとする課題】
【０００５】  以上に述べた従来のレインコ−ト収納袋は、レインコ−ト収納袋の開口部を下向きに、レインコ−トの外部背面設けられた面テ−プと、レインコ−ト収納袋の外部背面に設けられた面テ−プで、レインコ−ト本体の外部背面に設けられていた。収納袋には蓋が設けられていないため、レインコ−トとの紛失の恐れがあるのと、面テ−プで、レインコ−本体と、収納袋が接着して設けられているため、レインコ−ト収納袋の紛失の恐れがあった。【０００６】  本発明は、このような従来の構成が有していた問題を解決しようするものであり、レインコ−トを収納する収納袋の紛失と、レインコ−ト本体から、レインコ−ト収納袋の紛失を防止することを実現することを目的とするものである。
【課題を解決するための手段】
【０００７】  そして、本発明は上記目的を達成するためにレインコ−ト本体に収納携帯外袋が接着固定され設けられている収納携帯外袋の内部に、レインコ−トが収納されるレインコ−ト収納携帯中袋が収納されている。収納携帯外袋とレインコ−ト収納携帯中袋の２種類の収納袋で構成されるレインコ−ト収納携帯中袋と、レインコ−ト本体に収納携帯外袋が接着固定され設けられたものである。【０００８】  また、第２の課題解決手段は、レインコ−トを収納するレインコ−ト収納携帯中袋の内部に、水切り網を配置する構成としたものである。【０００９】  上記第１の課題解決手段による作用は次の通である。すなわち、レインコ−ト収納携帯中袋が、レインコ−ト本体に接着固定され設けられている収納携帯外袋の内部に、レインコ−トを収納するレインコ−ト収納携帯中袋が収納されている。脱いだレインコ−トを収納するために、レインコ−ト本体に接着固定し設けられている収納携帯外袋内部に収納されているレインコ−ト収納携帯中袋を取り出し、水で濡れているレインコ−トを、レインコ−ト収納携帯中袋に収納することで、レインコ−トに付着している水で屋内や、車中の中を汚すことを防止することができる。【００１０】  また、第２の課題解決手段による作用は、レインコ−ト収納携帯中袋内部に水切り網が設けられ、設けられた水切り網の上部にレインコ−トが留まることで、レインコ−トに付着している水を、レインコ−ト収納携帯中袋の下部に水を溜めることができる。レインコ−ト収納携帯中袋の下部に溜まった水は、レインコ−ト収納携帯中袋を逆さまにすることで、水を捨てることができる。その結果、水で濡れていないレインコ−トを着用することができるという効果を発揮する。
【発明の効果】
【００１１】  上述したように本発明の収納携帯外袋が、レインコ−ト本体に接着固定され設けられている収納携帯外袋の内部に、レインコ−トを収納するレインコ−ト収納携帯中袋が収納されているという、２種類の収納袋で構成されているので、必要な時にすぐにレインコ−ト収納携帯中袋を使用することができるという効果が発揮でき、使用者の行動を妨げることのない効果を発揮するものである。
【図面の簡単な説明】
【００１２】
【図１】収納携帯外袋の開口部の蓋を折り曲げた状態の収納外袋正面斜視図
【図２】収納携帯外袋の開口部を広げた状態の背面斜視図
【図３】収納携帯外袋の開口部を広げた状態の正面斜視図
【図４】レインコ−ト収納携帯中袋の正面斜視図
【図５】レインコ−ト収納携帯中袋の断面図
【図６】レインコ−ト収納携帯中袋を収納携帯外袋の内部に収納した正面斜視図
【図７】収納携帯外袋をレインコ−トに接着固定した使用状態図
【発明を実施するための最良の形態】
【００１２】    以下、本発明の実施の形態を図１〜図７に基づいて説明する。【００１３】図においては、１は収納携帯外袋の上部を折り曲げた状態で、収納携帯外袋１上部に設けられた面テ−プ２と収納携帯外袋１の中央部に設けられた面テ−プ２を張り合わせ、収納携帯外袋１に設けられた折り目線５にそって折り曲げられている。【００１４】３は収納携帯外袋の開口部に設けられたファスナ−で、４は収納携帯外袋１の外部背面に設けられた両面テ−プ４で、設けられた両面テ−プ４でレインコ−ト本体に収納携帯外袋が装着される。【００１５】６はレインコ−ト収納携帯中袋で、８はレインコ−ト収納携帯中袋の両側面に設けられた吊り下げ紐と、７はレインコ−ト収納携帯中袋の開口部に設けられたファスナ−７、１０はレインコ−ト収納携帯中袋６の内部に設けられた水切り網で、９はレインコ−ト収納携帯中袋６に折目線設が設けられている。【００１５】  以下、上記構成の動作を説明する。収納携帯外袋１の外部背面に設けられた両面テ−プ４で、レインコ−ト本体に収納携帯外袋１が装着され、装着された収納携帯外袋１の内部に、レインコ−ト収納携帯中袋６に設けられた折目線９にそって小さく折り曲げられたレインコ−ト収納携帯中袋６が収納されていることで、水に濡れているレインコ−トを脱いで、素早くレインコ−ト収納携帯中袋の中に収納することができる。【００１６】また、収納携帯外袋の内部に収納され、水に濡れていない収納携帯中袋に収納されているレインコ−トに付いて水で、屋内や、車中、また、人込みで混雑している電車の中に、水で濡れているレインコ−トを持ち運ぶことができるという効果を発揮する。以上のように、本実施形態よれば水で濡れているレインコ−トで混雑している電車の中や屋内車中を水で汚さない効果が得られるものである。
【符号の説明】
【００１７】    １    収納携帯外袋
２    面テ−プ
３    ファスナ−
４    両面テ−プ
５    折目線
６    レインコ−ト収納携帯中袋
７    ファスナ−
８    吊り下げ紐
９    折目線
１０  水切り網
【図１】
2016148131.tif 000003
【図２】
2016148131.tif 000004
【図３】
2016148131.tif 000005
【図４】
2016148131.tif 000006
【図５】
2016148131.tif 000007
【図６】
2016148131.tif 000008
【図７】
2016148131.tif 000009